(57)【要約】【課題】夏期には熱さ対策のため、また、冬期には建物の耐久性維持のためには、それぞれ、桟瓦と野地板間のスペースを含めて小屋裏の換気量を十分に確保することが必要との理解から、瓦と野地板間に通気空間を形成することにより該空間における通気を可能にし、夏期には小屋裏等に熱気がこもることを防止し、また、冬期には、結露、つらら、すがもれ等が起こって建物の耐久性が低下することを防止でき、しかも比較的低価格にて供給し得るプラスチック製瓦桟を提供することを課題とする。【解決手段】本発明に係るプラスチック製瓦桟１は、プラスチック製の棒状材で、幅方向一端面Ａから他端面Ｂに抜ける通気路２を設けて成り、前記通気路２を野地板の傾斜方向に向けて取り付けられることを特徴とする。好ましくは、底面に防水材３を定着し、また、幅方向一端面Ａ又は両端面を傾斜面とする。【選択図】　　　　図１
2004116112.tif 000002
【特許請求の範囲】
【請求項１】
プラスチック製の棒状材で、幅方向一端面から他端面に抜ける通気路を設けて成り、前記通気路を野地板の傾斜方向に向けて取り付けられることを特徴とするプラスチック製瓦桟。
【請求項２】
上面及び／又は下面に防水材を定着した請求項１に記載のプラスチック製瓦桟。
【請求項３】
幅方向一端面又は両端面を傾斜面とした請求項１又は２に記載のプラスチック製瓦桟。
【請求項４】
請求項３に記載のプラスチック製瓦桟を一対、その前記傾斜面端部同士を向かい合わせて連結して成るプラスチック製瓦桟。
【請求項５】
前記傾斜面端部同士を滑止めテープで連結して成る請求項４に記載のプラスチック製瓦桟。
【発明の詳細な説明】
【０００１】
【発明の属する技術分野】
本発明は、プラスチック製瓦桟、より詳細には、野地板上に打ち付けて引掛け桟瓦を掛けたり、棟開口部上に配置して小屋裏の換気を促したりするために、桟瓦の下側に配置して用いるプラスチック製瓦桟に関するものである。
【０００２】
【従来の技術】
日本の伝統的瓦屋根は、ルーフィングを張った野地板上に細い桟木（瓦桟）を何本か打ち付け、これに、裏面端部に引掛用突部を有する引掛け桟瓦の該突部を引掛けていくことにより構築される。
【０００３】
このような瓦屋根の場合、瓦と野地板との間の空間は、空気が滞留する状態となり、滞留空気は伝熱媒体となるために、夏期には小屋裏等が高温状態となり、冬期には、室内から水蒸気と温気とが小屋裏内に侵入して結露を起こし、また、つらら、あるいは、すがもれ（屋根の溜水が水圧や毛細管現象等によって屋根裏に雨漏りする現象）が起こりやすく、建物の耐久性を低下させる。
【０００４】
また、棟部については、棟用瓦の形状は均一ではなく種々の形状のものが存在するために、それを取り巻く部材も種々のものを用意する必要があり、施工方法もまちまちとなる。そのため、部材コストや作業コストが嵩みやすい。
【０００５】
【発明が解決しようとする課題】
本発明は、一般的瓦屋根構造におけるこのような問題点に鑑みてなされたもので、夏期には熱さ対策のため、また、冬期には建物の耐久性維持のためには、それぞれ、桟瓦と野地板間のスペースを含めて小屋裏の換気量を十分に確保することが必要との理解から、瓦と野地板間に通気空間を形成することにより該空間における通気を可能にし、夏期には小屋裏等に熱気がこもることを防止し、また、冬期には、結露、つらら、すがもれ等が起こって建物の耐久性が低下することを防止でき、しかも比較的低価格にて供給し得るプラスチック製瓦桟を提供することを課題とする。
【０００６】
【課題を解決するための手段】
上記課題を解決するための本発明に係るプラスチック製瓦桟は、プラスチック製の棒状材で、幅方向一端面から他端面に抜ける通気路を設けて成り、前記通気路を野地板の傾斜方向に向けて取り付けられることを特徴とする。
【０００７】
好ましくは、底面に防水材を定着し、また、幅方向一端面又は両端面を傾斜面とする。
【０００８】
更に、上記プラスチック製瓦桟を一対、その前記傾斜面端部同士を向かい合わせて連結することもある。その場合、前記傾斜面端部同士を不織布等の滑止めテープで連結することが好ましい。
【０００９】
【発明の実施の形態】
本発明の実施の形態を添付図面に依拠して説明する。図１は、本発明に係るプラスチック製瓦桟１の形状例を示す下方視斜視図で、瓦桟１は、角棒状を呈する。瓦桟１は、屋根材の荷重を受けるのに十分な強度を有する高耐候ポリプロピレン樹脂等のプラスチック製で、幅方向一端面Ａから他端面Ｂに抜ける通気路２を設けて成り、取り付け時には、その通気路２が野地板６の傾斜方向に向けられる。
【００１０】
図示した通気路２は、縦横に多数連設したものであるが、瓦桟１は屋根材の下に配置されて通気路２の開口部が直接外部に露出しないので、開口部に対する風圧や水の吹き込み等は余り考える必要がないため、一定の耐荷重強度が保たれる限り、開口部のサイズを大きくして通気路２の数を減らしていくことができる。このように通気路２の数を減らすことができる結果、通気のための有効開口面積を増加させることが可能となる。なお、通気路２の断面は通例四角形とされるが、勿論これに限られる訳ではない。
【００１１】
瓦桟１はモールド成形により製造することもできるが、図示した形状例の場合は、好ましくは、通気路２を並設したプラスチックプレートを設け、これを必要数積層し、所望形状並びにサイズにカットすると共に、一体化して製造する。その場合瓦桟１には瓦の重量がかかるので、これに対処するため、プラスチックプレートの厚さを選定したり、端面を垂直面とする等して、全体的に十分な耐荷重性能（耐ズレ強度性能）を持たせるようにする必要がある。
【００１２】
また、好ましくは、瓦桟１の上面及び／又は下面に、長さ方向に延びる発泡材、ＥＰＤＭ（加硫ゴムシート）等のテープ状防水材３を定着する。この防水材３は、上面に取り付けられるときには上に乗る瓦材の緩衝材としての役目を果たし、下面に取り付けられるときには、瓦桟１が棟部に用いられるときに、瓦桟１と野地板６との間から、開口部１２に水が侵入することを防止する役目を果たす。
【００１３】
特に、瓦桟１を、後述するように連結瓦桟１１として棟部に使用する場合は、瓦桟１の内方側端面Ａ（あるいは、両端面Ａ、Ｂ）を傾斜面とすることが好ましい。そのようにすることにより、小屋裏から流出する空気が、通気路２内にスムーズに流れ込むようになる。
【００１４】
瓦桟１は、通常の瓦桟として用いる場合は単独で使用するが、棟取付用として使用する場合は、２つの瓦桟１を連結することが好ましい。即ち、一端面Ａを傾斜面とした２つの瓦桟１の、端面Ａの端部同士を突き合わせ当接させ、あるいは、少し離して対向させた状態で連結して連結瓦桟１１とする（図２参照。そこに示すものは当接させて連結してある。）。２つの瓦桟１、１の連結は、好ましくは、不織布等の摩擦抵抗の大きい素材製の滑止めテープ４によって行なう。
【００１５】
図３は、上記瓦桟１及び連結瓦桟１１の使用方法を示すもので、瓦桟１は、一般の瓦桟と同様に、必要数野地板６（ルーフィング７）上に打ち付ける。そして、従来の場合と同様にして引掛け桟瓦８を引掛けていく。
【００１６】
一方、連結瓦桟１１は、棟部の野地板６、６間に開口部１２を設け、その開口部１２を跨がせるようにして配置する。その際連結瓦桟１１は、滑止めテープ４定着側を上面にし、各瓦桟１、１を野地板６、６の傾斜に合わせて釘止めする。そして、その上に桟瓦１３及び丸冠瓦１４を載せていく。その場合、モルタルを充填する場合としない場合とがある。
【００１７】
かかる構成において、小屋裏内の空気は、開口部１２から抜け、瓦桟１、１の通気路２の開口端面である傾斜端面Ａ、Ａから通気路２に流入し、他端面Ｂ、Ｂ側に抜ける。その後空気は、野地板６の傾斜方向に向けて配置されている瓦桟１の通気路２を通り抜け、大気に放出される。また、瓦の施工においては、瓦同士の間にも隙間が存在するため、この隙間を介して換気を促進させることにもなる。
【００１８】
従って、桟瓦８、１３と野地板６との間の空間に空気が滞留することはなく、常時通気状態となる。その結果、そこに熱気や冷気が留まることがなくなるので、夏期には比較的涼しい状態となり、冬期には、外気温に近い状態となって、結露が防止され、また、つららやすがもれの発生が防止される。
【００１９】
本発明に係る９桟１、１１は、上記のように桟瓦８、１３の下側に配置されるものであって、直接雨雪に当たらない。従って、通気路２内への雨雪の侵入防止ということは考慮する必要がないため、各通気路２の開口面積を任意のものとすることができ、各瓦桟１、１１の端面に十分に広い開口面積を確保することができる。
【００２０】
また、連結瓦桟１１の上に載せられる瓦は、その形状を問わずに利用可能で、いずれの形状の瓦の場合にも、全く同じ方法で施工することができる。そのため、本発明に係る瓦桟１、１１については、種々の形状のものを用意する必要がないため、金型が不要又は少なくて済み、以て製品コストを抑えることができるだけでなく、棟部等に特別な加工を加える必要はなく、また、瓦形状に応じた特別な加工が必要となる訳でもないので、作業を迅速に行うことができ、作業コストを抑えることが可能となる。
【００２１】
連結瓦桟１１において滑止めテープ４を用いるときは、摩擦抵抗が大きいために、その上に載るモルタルあるいは瓦の横滑りを防止し、安定に保持することができるようになる。また、連結瓦桟１１において、端面Ａの端部同士を少し離して対向させた状態で連結するときは、２つの瓦桟１、１の取る角度の自由度が大きくなり、より一層野地板６、６の勾配に合わせやすくなる。
【００２２】
また、在来工法においては、垂木が棟木の上側で接合されるために、双方の野地板６の上端同士の間隔は狭いものとなるが、２×４工法においては棟木が垂木の上端部間に位置するために、双方の野地板の上端同士の間隔は広いものとなる。従って、連結瓦桟１１を２×４工法において利用する場合は、端面Ａの端部同士を離した、台形状に広がるタイプのものを用いる。
【００２３】
なお、図３において左側の瓦桟１は上面が長く下面が短かい状態に配置され、右側の瓦桟１は、逆に上面が短く下面が長い状態に配置されているが、そのいずれであってもよい。後者（右側）のようにした場合は、空気の流れが速い上層側において通気路が短かくて通気抵抗が少なくなるため、空気の流れはよりスムーズとなる。
【００２４】
瓦には種々の形状があり、通常これに対処するために瓦桟を数種類用意する必要があるところから、金型等の初期費用が嵩み、在庫管理上の問題も起こる。また、種々の種類があるということは、それに応じた種々の施工方法が存在することを意味し、作業者が各方法に習熟するまでに時間がかかり、作業コストの増大、作業ミスによる施工不良等の問題が発生しやすい。
【００２５】
しかるに、本発明に係る瓦桟１の場合は、屋根材の下側に配置するものとしたので、上に乗る瓦がどのような形状であっても、単に乗せ掛けるだけの簡単で均一な施工方法を採用することができる。そのため、作業コストを低く抑えることができるだけでなく、作業ミスを減少させることが可能となるのである。
【００２６】
図４及び図５は、連結瓦桟１１の上記とは異なる使用形態を示すものである。図４に示す例は、棟から少し離れた個所に連結瓦桟１１を設置するもので、瓦桟１、１の傾斜端面Ａ、Ａ同士を密着状態にして使用する２（２つの瓦桟１、１は直角ないし直角に近い角度をなす。）。かかる状態で一方の瓦桟１を、野地板２２を貫いて形成した挿入口２３に挿入し、端面Ｂを小屋裏内に向けて通気路２を開口させ、他方の瓦桟１を野地板２２上に載置固定する。瓦桟１と野地板２２との隙間には、適宜コーキング剤を充填する等してシールする。
【００２７】
このように連結瓦桟１１を設置した場合も、連結瓦桟１１を介して小屋裏と大気とが連通するので、自然に小屋裏換気が行われる。
【００２８】
図５は、図４に示すものと同じ用法で寄棟屋根に適用したものである。なお、連結瓦桟１１は、図４及び図５に示すように、短尺化したものを適宜間隔置きに配置するようにしてもよいが、長尺の連続したものを用いてもよい。
【００２９】
【発明の効果】
本発明は上述した通りであって、本発明に係る瓦桟を用いることにより、瓦と野地板間に通気空間を形成して、該空間における通気を可能にすることができ、夏期には小屋裏等に熱気がこもることを防止して、室内側に熱気が伝達されることを阻止でき、冬期には、結露、つらら、すがもれ等の発生を防止して建物の耐久性を向上させ得る効果がある。
【００３０】
また、本発明に係る瓦桟は、瓦の形状に関わらず、同じ施工法を採用することが可能なため、製品コストを低廉化し得るだけでなく、取扱いが容易で施工作業も簡便なために作業コストを抑え、作業ミスを防止することができる効果がある。
【図面の簡単な説明】
【図１】本発明に係る瓦桟の構成を示す図である。
【図２】本発明に係る瓦桟（連結瓦桟）の構成を示す図である。
【図３】本発明に係る瓦桟の使用方法を示す図である。
【図４】本発明に係る瓦桟（連結瓦桟）の他の使用形態を示す図である。
【図５】本発明に係る瓦桟（連結瓦桟）の更に他の使用形態を示す図である。
【符号の説明】
１　　瓦桟
２　　通気路
３　　防水材
４　　滑止めテープ
６　　野地板
７　　ルーフィング
８　　桟瓦
１１　　連結瓦桟
１２　　開口部
１３　　桟瓦
１４　　丸冠瓦
【図１】
2004116112.tif 000003
【図２】
2004116112.tif 000004
【図３】
2004116112.tif 000005
【図４】
2004116112.tif 000006
【図５】
2004116112.tif 000007